(57)【要約】【課題】  電源スイッチの配置適正化によりノイズ対策および存在位置の認識性の確保を図った上で誤操作を回避し得るようにする。【解決手段】  商用電源９０から給電された電力からノイズを除去する一次電源ユニット３０と、この一次電源ユニット３０からの電力を低電圧に変圧する二次電源ユニット４０とが備えられ、商用電源９０から一次電源ユニット３０に給電される電力に対してオン・オフを行う一次電源スイッチ５０と、一次電源ユニット３０から二次電源ユニット４０に給電される電力に対してオン・オフを行う二次電源スイッチ６０とが設けられ、一次電源スイッチ５０は、装置本体１１の後部上面であって一次電源ユニット３０の直上位置に設けられている一方、二次電源スイッチ６０は、装置本体１１の前部上面に設けられている。【選択図】      図３
2005292695.tif 000002
【特許請求の範囲】
【請求項１】
装置本体内に設けられた画像形成処理用の各種機器に商用電源から電源ユニットを介して給電された電力が供給されることにより所定の画像形成処理を行うように構成された画像形成装置であって、
前記電源ユニットとして、商用電源から給電された電力を装置本体内に分配電する一次電源ユニットと、この一次電源ユニットから給電された電力を低電圧に変圧して装置本体内に分配電する二次電源ユニットとが備えられ、
前記商用電源から前記一次電源ユニットに給電される電力に対してオン・オフを行う一次電源スイッチと、前記二次電源ユニットによる分配電系においてオン・オフを行う二次電源スイッチとが設けられ、
前記一次電源スイッチは、前記装置本体の後部上面であって前記一次電源ユニットの直上位置に設けられている一方、前記二次電源スイッチは、前記装置本体の前部上面に設けられていることを特徴とする画像形成装置。
【請求項２】
前記一次電源ユニットは、オペレータが前記装置本体の前面に対面した状態におけるオペレータ側から見て当該装置本体内の左側奥部に設けられていることを特徴とする請求項１記載の画像形成装置。
【請求項３】
前記装置本体の前部上面に操作パネルが設けられ、前記二次電源スイッチは、前記操作パネルに設けられていることを特徴とする請求項１または２記載の画像形成装置。
【請求項４】
前記各種機器として、画像形成処理が施された用紙上のトナー像に定着処理を施すヒータと、前記装置本体内に設けられた各種可動部材を駆動させる駆動モータと、画像形成処理の制御を行う制御装置とが備えられ、前記ヒータには商用電力が変圧されることなく一次電源ユニットを介して供給される一方、前記駆動モータおよび制御装置には前記二次電源ユニットを介して低電圧に変圧された電力が供給されるように構成されていることを特徴とする請求項１乃至３のいずれかに記載の画像形成装置。
【発明の詳細な説明】
【技術分野】
【０００１】
本発明は、複写機やファクシミリ装置、さらにはコンピュータに接続される各種のプリンタ等の画像形成装置に関するものであり、特に、電源スイッチの配置に工夫を凝らしたものである。
【背景技術】
【０００２】
複写機やファクシミリ装置、さらにはプリンタ等の画像形成装置は、商用電源からの電力を得て機能するようになっており、通常、装置内において、商用電源そのままの電圧で使用される例えば１００Ｖの一次電源ユニットによる分配電系と、一次電源の電圧を変圧して低電圧（例えば２４Ｖや５Ｖ）で使用される２次電源ユニットによる分配電系とに区分されている。一次電源は、用紙に転写されたトナー画像に定着処理を施すためのヒータの電源として使用されるのに対し、二次電源は、装置内の各種の駆動モータの駆動系の電源（通常２４Ｖ）や制御系の電源（通常５Ｖ）として使用される。
【０００３】
各電源ユニットには、それぞれ一次電源スイッチおよび二次電源スイッチが備えられ、二次電源スイッチが操作されると装置内の駆動系および制御系への電力供給がオン・オフされる一方、一次電源スイッチをオフすると装置内への電力の供給が全て行われなくなるようになっており、一次電源スイッチはいわゆるメインスイッチとしての機能を備えている。そして、一次電源スイッチは、通常、目立たない位置である装置本体の側面に設けられている一方、二次電源スイッチは、装置本体の前側の目立つ位置に設けられるのが一般的である。
【０００４】
因みに、画像形成装置における電源スイッチの配置については、特許文献１および特許文献２に記載されたものが知られている。特許文献１のものは、一次電源スイッチに開閉自在のカバーを設けてカバーを開けない限りスイッチオフし得ないようにし、これによって習慣的あるいは無意識的にオフ操作されることがないようにしている。また、特許文献２のものは、一次電源スイッチを操作パネル上に配置し、これによって一次電源スイッチの操作性を向上させるようにしている。
【特許文献１】特開平１１−２２０５５９号公報
【特許文献２】特開２００３−３００３５７号公報
【発明の開示】
【発明が解決しようとする課題】
【０００５】
ところで、一次電源スイッチは、低電圧に変圧されていない商用電源そのものをオン・オフするものであるため、オン・オフ操作時に大きなノイズが発生し易いばかりか、一次電源から二次電源に至る配線が長距離に亘ると、この配線からもノイズの生じることがある。そして、ノイズが生じると制御機器等に悪影響を与えることがあるため、かかるノイズは可能な限り抑えることが好ましい。
【０００６】
また、二次電源スイッチについては、通常、画像形成装置を複写機として使用しない就業時間外や長時間の不使用時にオフされるが、画像形成装置がファクシミリ装置としても使用されているような場合、一次電源スイッチをオフしてしまうと夜間の着信を受信し得なくなる等の不都合が生じるため、複写機の不使用時でも一次電源スイッチはオン状態を継続させておくのが一般的である。したがって、習慣的にオフ操作してしまうような位置に一次電源スイッチを設けることは好ましいことではないが、一次電源スイッチがどこに存在するかを容易に認識し得ないというのも具合が悪い。
【０００７】
したがって、一次電源スイッチについては、ノイズ対策および存在位置の認識性の確保を図った上で誤操作を回避し得るようにするべきであるという観点から設置位置が設定されることが望ましいにも拘らず、特許文献１および特許文献２に記載のものを含め、従来、かかる観点で第１電源スイッチの設置位置が設定されていなかったのが実情である。
【０００８】
本発明は、このような状況に鑑みなされたものであって、ノイズ対策および存在位置の認識性の確保を図った上で誤操作を回避し得るように設置位置が設定されてなる電源スイッチを備えた画像形成装置を提供することを目的としている。
【課題を解決するための手段】
【０００９】
請求項１記載の発明は、装置本体内に設けられた画像形成処理用の各種機器に商用電源から電源ユニットを介して給電された電力が供給されることにより所定の画像形成処理を行うように構成された画像形成装置であって、前記電源ユニットとして、商用電源から給電された電力を装置本体内に分配電する一次電源ユニットと、この一次電源ユニットから給電された電力を低電圧に変圧して装置本体内に分配電する二次電源ユニットとが備えられ、前記商用電源から前記一次電源ユニットに給電される電力に対してオン・オフを行う一次電源スイッチと、前記二次電源ユニットによる分配電系においてオン・オフを行う二次電源スイッチとが設けられ、前記一次電源スイッチは、前記装置本体の後部上面であって前記一次電源ユニットの直上位置に設けられている一方、前記二次電源スイッチは、前記装置本体の前部上面に設けられていることを特徴とするものである。
【００１０】
このように一次電源スイッチを装置本体の後部上面における一次電源ユニットの直上位置に設けることにより、一次電源ユニットと一次電源スイッチとの間の距離を可能な限り短く設定し得るため、一次電源ユニットから一次電源スイッチへ到る配線の這い回しが容易になるとともに、一次電源スイッチと装置本体内の各種の機器との間に充分な距離を確保することが可能になり、一次電源スイッチのスイッチ操作で生じるノイズの影響が各種の機器に及び難くなる。
【００１１】
また、一次電源スイッチが装置本体の上面に設けられているため、装置本体の側部に設けられている場合に比較し、後処理装置等の付帯機器の増設で一次電源スイッチが操作しえなくなるような不都合は生じない。
【００１２】
しかも、一次電源スイッチは、装置本体の後部上面に設けられていて視認し易いため、一次電源スイッチの存在位置を見失うような不便を回避した上で、オペレータにとっては手を伸ばさなければスイッチ操作を行い得ないため、一次電源スイッチが手元にある場合無意識的にスイッチ操作を行ってしまうような不都合の発生が防止される。
【００１３】
請求項２記載の発明は、請求項１記載の発明において、前記一次電源ユニットは、オペレータが前記装置本体の前面に対面した状態におけるオペレータ側から見て当該装置本体内の左側奥部に設けられていることを特徴とするものである。
【００１４】
かかる構成を採用したことにより、人口比率が極めて大きい右利きのオペレータが装置本体の前面に位置した状態で一次電源スイッチを操作するに当っては、利き腕でない左腕を延ばしてスイッチ操作を行わなければならず、この通常ではないスイッチ操作は、無意識で行われるものではなく、したがって、無意識に一次電源スイッチを切ってしまうような不都合の発生がより効果的に防止される。
【００１５】
請求項３記載の発明は、請求項１または２記載の発明において、前記装置本体の前部上面に操作パネルが設けられ、前記二次電源スイッチは、前記操作パネルに設けられていることを特徴とするものである。
【００１６】
二次電源スイッチが前記操作パネルに設けられていることにより、二次電源スイッチの操作性が向上する。
【００１７】
請求項４記載の発明は、請求項１乃至３のいずれかに記載の発明において、前記各種機器として、画像形成処理が施された用紙上のトナー像に定着処理を施すヒータと、前記装置本体内に設けられた各種可動部材を駆動させる駆動モータと、画像形成処理の制御を行う制御装置とが備えられ、前記ヒータには商用電力が変圧されることなく一次電源ユニットを介して供給される一方、前記駆動モータおよび制御装置には前記二次電源ユニットを介して低電圧に変圧された電力が供給されるように構成されていることを特徴とするものである。
【００１８】
かかる構成を採用したことにより、ヒータは、商用電源からの電力を一次電源ユニットを介して低電圧に変圧されることなくそのまま給電されて迅速に所定の温度まで昇温される一方、各種機器や制御装置は、二次電源ユニットを介して供給される適正な低電圧に変圧された電力によって駆動される。
【００１９】
そして、普段は一次電源スイッチを落さないようにしておくとともに、ヒータは、一次電源ユニットから供給される保留電力によって常に予熱されるようにしておけば、始業時の二次電源スイッチを入れたのち、待ち時間が非常に短い状態で直ちに画像形成装置を使用することが可能になる。
【発明の効果】
【００２０】
請求項１記載の発明によれば、一次電源スイッチを装置本体の後部上面における一次電源ユニットの直上位置に設けたため、一次電源ユニットと一次電源スイッチとの間の距離を可能な限り短く設定することが可能になり、これによって一次電源ユニットから一次電源スイッチへ到る配線の這い回しが容易になって製造コストの低減化に貢献することができるとともに、一次電源スイッチと装置本体内の各種の機器との間に充分な距離を確保することが可能になり、一次電源スイッチのスイッチ操作で生じるノイズの影響が各種の機器に及び難くなり、これによってノイズに起因した各種機器の誤動作をなくすことができる。
【００２１】
また、一次電源スイッチが装置本体の上面に設けられているため、装置本体の側部に設けられている場合に比較し、後処理装置等の付帯機器の増設で一次電源スイッチが操作しえなくなるような不都合は生じることがなく、画像形成装置に対する付帯機器配置の自由度を向上させることができる。
【００２２】
しかも、一次電源スイッチは、装置本体の後部上面に設けられていて視認し易いため、一次電源スイッチの存在位置を見失うような不便を回避することができる一方、オペレータにとっては手を伸ばさなければスイッチ操作を行うことができないなど操作性を意識的に犠牲にしているため、一次電源スイッチが手元にある場合に落としてはならない電源を無意識的に落としてしまうような不都合の発生を回避することができ、例えば、画像形成装置がファクシミリ装置の場合、電源が落とされたことで夜間の受信ができなくなるような不都合の発生を有効に防止することができる。
【００２３】
請求項２記載の発明によれば、一次電源ユニットは、オペレータが装置本体の前面に対面した状態におけるオペレータ側から見て当該装置本体内の左側奥部に設けられているため、オペレータがは、一次電源スイッチを操作するに当っては、普段使わない利き腕でない左腕を意識的に延ばしてスイッチ操作を行わなければならず、したがって、無意識に一次電源スイッチを切ってしまうような不都合の発生を確実に防止することができる。
【００２４】
請求項３記載の発明によれば、二次電源スイッチが最も目につき易い操作パネルに設けられているため、二次電源スイッチの設置位置を探すような無駄な時間の消費がなくなるばかりか、腕を大きく動かすことなくスイッチ操作を行うことができ、スイッチ操作の操作性を向上させることができる。
【００２５】
請求項４記載の発明によれば、ヒータは、商用電源からの電力を一次電源ユニットを介して低電圧に変圧されることなくそのまま給電されて迅速に所定の温度まで昇温される一方、各種機器や制御装置は、二次電源ユニットを介して供給される適正な低電圧に変圧された電力によって駆動され、機器の特性に応じた電力の供給を行うことができる。
【００２６】
そして、普段は一次電源スイッチを落さないようにしておくとともに、ヒータは、一次電源ユニットから供給される保留電力によって常に予熱されるようにしておけば、始業時の二次電源スイッチを入れたのち、待ち時間が非常に短い状態で直ちに画像形成装置を使用することが可能になり、その分作業効率を向上させることができる。
【発明を実施するための最良の形態】
【００２７】
図１は、本発明に係る画像形成装置の一実施形態を示す外観斜視図であり、図２は、画像形成装置の内部構造の概要を説明するための正面断面視の説明図である。なお、これらの図において、Ｘ−Ｘ方向を幅方向、Ｙ−Ｙ方向を前後方向といい、特に−Ｘ方向を左方、＋Ｘ方向を右方、−Ｙ方向を前方、＋Ｙ方向を後方という。
【００２８】
画像形成装置１０は、図１に示すような箱形を呈する装置本体１１を有している。この装置本体１１の上部には、原稿からその画像を読み取る原稿読取部１２と、画像形成処理に対して各種の条件を入力する入力部１７と、一次電源スイッチ５０とが設けられているとともに、装置本体１１内における原稿読取部１２より下方位置には、図２に示すように、原稿読取部１２によって読み取られた原稿の画像情報に基づき画像を形成する画像形成部１３と、この画像形成部１３によって形成され、用紙に転写された画像に定着処理を施す定着部１４と、転写用の用紙を貯留する用紙貯留部１５とが内装されている。
【００２９】
前記原稿読取部１２は、開閉可能な原稿押え１２１と、装置本体１１内でコンタクトガラス１２２（図２）を介して原稿押え１２１と対向配置された光学系ユニット１２５とを備えて構成されている。なお、本実施形態においては、コンタクトガラス１２２は、載置された原稿の原稿面を読み取るための、原稿押え１２１より若干小さい平面形状を有する載置原稿用コンタクトガラス１２２ａと、自動給紙された原稿の原稿面を読み取る前後方向に長尺の細長い自動給紙用コンタクトガラス１２２ｂとを備えている。
【００３０】
前記原稿押え１２１は、二段構造で構成され、上段に設けられた原稿を載置するための原稿トレイ１２２と、下段に設けられた画像読み取り済の原稿が排紙される原稿排紙トレイ１２３とを有している。原稿押え１２１の左側部には、原稿トレイ１２２と原稿排紙トレイ１２３との間に介設された原稿送り部１２４が形成され、この原稿送り部１２４に設けられた図略の原稿送り機構によって原稿トレイ１２２上に載置された用紙束から１枚ずつがピックアップされて自動給紙用コンタクトガラス１２２ｂへ供給され、移動しながらこの自動給紙用コンタクトガラス１２２ｂを介して光学系ユニット１２５によリ原稿面が読み取られるようになっている。
【００３１】
光学系ユニット１２５は、図略の光源や複数のミラー、レンズユニット、さらにはＣＣＤ（ｃｈａｒｇｅ  ｃｏｕｐｌｅｄ  ｄｅｖｉｃｅ）等を有している。そして、光源からの光が原稿面で反射され、この反射光がこれらミラーおよびレンズユニットを介して原稿上方としてＣＣＤに入力されるようになっている。ＣＣＤに入力されたアナログ量としての原稿情報は、デジタル信号に変換され、デジタルの原稿情報として所定の記憶装置に記憶されるようになっている。
【００３２】
前記画像形成部１３は、用紙貯留部１５から給紙された用紙にトナー画像を形成させるものであり、本実施形態では、上流側（図１の紙面の右側）から下流側へ向けて順次配設されたイエロー用ユニット１３Ｙと、マゼンタ用ユニット１３Ｍと、シアン用ユニット１３Ｃと、ブラック用ユニット１３Ｋとを有している。
【００３３】
各ユニット１３Ｙ，１３Ｍ，１３Ｃ，１３Ｋには、感光体ドラム１３１および現像装置１３２がそれぞれ備えられている。各感光体ドラム１３１は、図１において時計方向へ向けて回転しつつ対応した現像装置１３２からトナーの供給を受けるようになっている。
【００３４】
各感光体ドラム１３１の図１における上方右寄りの位置には帯電部１３３がそれぞれ設けられているとともに、同上方左寄りの位置には露光部１３４がそれぞれ設けられている。そして、各感光体ドラム１３１は、前記帯電部１３３によって周面が一様に帯電され、原稿読取部１２で入力された画像データに基づくレーザー光が前記各露光部１３４から帯電後の感光体ドラム１３１の周面に照射されることにより、各感光体ドラム１３１の周面に静電潜像が形成されるようになっている。かかる静電潜像に現像装置１３２からトナーが供給されることにより、感光体ドラム１３１の周面にトナー像が形成されるようになっている。
【００３５】
また、各感光体ドラム１３１の図２における左方下部位置には感光体ドラム１３１の周面の残留トナーを除去してクリーニングするクリーニング装置１３５が設けられている。クリーニング装置１３５によって清浄化処理された感光体ドラム１３１の周面は、新たな帯電処理のために帯電部１３３へ向かうことになる。
【００３６】
各感光体ドラム１３１の下方位置には、搬送面が各感光体ドラム１３１と対向するように配設された搬送ベルト１３６が設けられている。この搬送ベルト１３６は、ブラック用ユニット１３Ｋの若干下流側に設けられた駆動ローラ１３７と、イエロー用ユニット１３Ｙの若干上流側に設けられた従動ローラ１３８とに掛け回され、駆動ローラ１３７の駆動回転駆動によって周回するようになっている。そして、用紙貯留部１５から供給された用紙は、この搬送ベルト１３６の周回に誘導されて感光体ドラム１３１の周面に当接しながら移動し、転写処理が施されるようになっている。
【００３７】
前記定着部１４は、画像形成部１３で転写された用紙上のトナー像に対し定着処理を施すものであり、上下で対向配置されたヒートローラ１４１と加圧ローラ１４２とを備えている。搬送ベルト１３６の周回によって画像形成部１３から導出された転写処理済の用紙は、これらヒートローラ１４１および加圧ローラ１４２間で加熱されつつ押圧挟持されることによる熱処理でトナー画像が定着され、用紙上に安定したカラー画像が形成される。定着処理の完了したカラー画像付の用紙は、排紙搬送路１０２を通って装置本体１１の左側壁から突設された排紙トレイ１０１へ向けて排出される。
【００３８】
前記用紙貯留部１５は、装置本体１１に挿脱自在に装着された複数段の用紙トレイ１５１を有している。各用紙トレイ１５１には、それぞれ用紙束が貯留されるようになっている。そして、選択された用紙トレイ１５１の用紙束からピックアップローラ１５２の駆動で用紙Ｐが１枚ずつ繰り出され、給紙搬送路１５３を通って画像形成部１３へ導入されるようになっている。
【００３９】
また、本実施形態の画像形成装置１０においては、装置本体１１内に用紙Ｐに対して両面印刷を行うための用紙反転部１６が設けられている。この用紙反転部１６は、画像形成部１３と用紙貯留部１５との間に介設された、片面に定着処理後の画像を有する用紙Ｐを一時的に貯留する中間トレイ１６１と、定着部１４の直下流位置に設けられ、定着処理後の用紙Ｐに対して排紙搬送路１０２および返送搬送路１０３のいずれか一方に用紙Ｐを振り分ける切換ガイド１６２と、一旦中間トレイ１６１に排紙された用紙Ｐを後端側から排紙する反転ローラ対１６３とを備えている。
【００４０】
そして、前記切換ガイド１６２の切り換え操作によって返送搬送路１０３および反転ローラ対１６３を介して一旦中間トレイ１６１へ排紙された用紙Ｐは、反転ローラ対１６３の逆回転によって後端側から排出され、反転搬送路１０４を通って給紙搬送路１５３へ向わせられるようになっている。この給紙搬送路１５３へ供給された表裏反転後の用紙Ｐは、再度画像形成部１３へ供給されることにより裏面側に対して転写処理が施されることになる。
【００４１】
前記入力部１７は、図１に示すように、装置本体１１の上面前部に装着された支持フレームとしての枠体１７１と、この枠体１７１に支持されたパネルボード（操作パネル）１７５とを備えて構成されている。
【００４２】
前記枠体１７１は、装置本体１１の前面と面一の幅方向に長尺な前方枠１７２と、前記原稿押え１２１の前縁部より若干下位で前方枠１７２と対向した後方枠１７３と、これら前方枠１７２および後方枠１７３の左右の端部間に架設された幅方向一対の側方枠１７４と、これら各枠に囲繞された図略の底板とを備えて構成されている。前記パネルボード１７５は、かかる枠体１７１の前方枠１７２、後方枠１７３および一対の側方枠１７４に囲まれた空間に嵌め込まれた状態で底板に支持されている。
【００４３】
かかるパネルボード１７５の上面には、略中央位置に液晶からなる表示パネル１７６が設けられているとともに、この表示パネル１７６の右側にテンキー１７７が配列されている。また、このテンキー１７７の右側にはスタートボタン１７８が設けられているとともに、前記テンキー１７７の左側にはモード切換えキー１７９が設けられている。また、パネルボード１７５の右側部の上方位置には、二次電源スイッチ６０が設けられている。
【００４４】
前記表示パネル１７６は、各種の入力情報や出力情報を液晶表示したり、表示された処理条件の内で選択したものについてタッチイン操作で入力したりするものである。また、前記テンキー１７７は、コピー枚数などの主に数量情報を設定するためのものである。
【００４５】
前記モード切換えキー１７９は、画像形成装置１０のモードを切り換えるためのものであり、本実施形態においては、画像形成装置１０を複写機として使用するときに押下されるコピーキー１７９ａと、プリンタとして使用するときに押下されるプリンタキー１７９ｂと、スキャナとして使用するときに押下されるスキャナキー１７９ｃとからなっている。前記スタートボタン１７８は、画像形成装置１０に対する各種の処理条件が設定された状態で押下されるものであり、この押下によって設定された処理条件に沿う画像形成処理が実行されることになる。なお、パネルボード１７５には、これら表示パネル１７６、テンキー１７７、スタートボタン１７８、モード切換えキー１７９および二次電源スイッチ２の他にも、必要に応じて各種のキーやボタンが設けられる。
【００４６】
図３は、上記のような装置本体１１内に設けられた給電系統２０の一実施形態を説明するための斜視図であり、図４は、給電系統の概略回路図である。まず、図３に示すように、装置本体１１は、底板フレーム１１１と、この底板フレーム１１１の四隅部から立設された４本の支柱１１２と、これら４本の支柱１１２に支持された天板フレーム１０３とを備えている。
【００４７】
天板フレーム１０３の上部前方位置には、入力部１７の枠体１７１および入力部１７２を支持するための入力部支持域１１３ａが確保されているとともに、天板フレーム１０３における入力部支持域１１３ａの後方位置には、原稿読取部１２の原稿押え１２１および光学系ユニット１２５を装着するための箱形を呈した原稿読取部装着フレーム１１４が装着されている。また、底板フレーム１１１と天板フレーム１１３との間に前記画像形成部１３、定着部１４および用紙貯留部１５が装着されている。
【００４８】
このような各フレーム間であって、画像形成装置１０の内部と外部との境界位置に各種の合成樹脂製の外装板１１５が装着されることによって装置本体１１が形成されている。
そして、本実施形態に係る給電系統２０は、このような装置本体１１内において、内部の機器に干渉しないように原稿読取部装着フレーム１１４に沿った形で設けられている。
【００４９】
かかる給電系統２０は、一次電源ユニット３０と、二次電源ユニット４０と、一次電源スイッチ５０と、二次電源スイッチ６０とを備えた基本構成を有している。
【００５０】
前記一次電源ユニット３０は、商用電源９０からの電力に対してノイズを除去したり電圧の安定化を図ったりするものであり、底板フレーム１１１上の左方後部で外装板１１５に沿うように設けられている。かかる一次電源ユニット３０は、合成樹脂製の第１基板３１と、この第１基板３１上に形成されたフィルタ回路３２と、同電圧安定回路３３とを備えている。前記フィルタ回路３２は、商用電源９０から供給された電力に対して所定のフィルタ処理を施し、これによって商用電力から電気的なノイズを除去するものである。また、電圧安定回路３３は、商用電力の電圧を安定化させるためのものである。
【００５１】
かかる一次電源ユニット３０から出力された電力は、その一部が変圧されることなく定着部１４のヒートローラ１４１に内装された加熱手段としてのハロゲンランプからなるヒータ１４３へ供給され、このヒータ１４３の通電発熱によって用紙に転写処理されたトナー像に対する定着処理が施されるようになっている。
【００５２】
前記二次電源ユニット４０は、一次電源ユニット３０を経由して供給される商用電力（１００Ｖ）を低電圧に変圧して分配電するものであり、前記第１基板３１に隣設された第２基板４１と、この第２基板４１上に形成された第１変圧回路４２と、この第１変圧回路４２よりさらに低電圧に変圧する第２変圧回路４３とを備えて構成されている。
【００５３】
前記第１変圧回路４２は、装置本体１１内に設けられた各種の駆動モータや例えばソレノイドからなる各種のアクチュエータ等を備えて構成される駆動系７０へ向けて変圧された電力を供給するものであり、本実施形態においては、商用電源９０から一次電源ユニット３０を介して給電された電力の例えば１００Ｖを２４Ｖの低電圧に変圧するようになっている。
【００５４】
駆動系７０を構成するものとしては、例えば、原稿読取部１２の原稿送り部１２４に設けられた原稿を自動給紙用コンタクトガラス１２２ｂへ給紙するために使用される原稿送りモータ、原稿読取部１２の光学系ユニット１２５において光源を備えたミラーユニット等を移動させるために使用されるミラーユニット移動モータ、画像形成部１３において各感光体ドラム１３１を回転させるドラム回転モータ、画像形成部１３において搬送ベルト１３６を周回させるために用いられる搬送ベルト用モータ、定着部１４においてヒートローラ１４１を回転駆動させるために用いられるヒートローラ用モータ、用紙貯留部１５においてピックアップローラ１５２を駆動させる用紙ピックアップ用モータ、用紙反転部１６において反転ローラ対１６３を駆動させる用紙反転用モータ、各所の搬送路に設けられた各種の搬送モータ、さらには用紙反転部１６における切換ガイド１６２の姿勢を変更させるアクチュエータとしてのソレノイド等を主なものとして挙げることができる。
【００５５】
前記第２変圧回路４３は、装置本体１１内に設けられた制御装置や各種の制御機器等から構成される制御系８０に対し変圧された電力を制御信号用として出力するものであり、本実施形態においては、商用電源９０から一次電源ユニット３０を介して給電された電力（１００Ｖ）を５Ｖの低電圧に変圧するようになっている。この５Ｖの電流が制御装置内でのプログラムの実行に使用されるとともに、制御信号として各種の被制御機器へ向けて出力されたり、各種センサの検出信号用キャリヤとして使用される。
【００５６】
前記一次電源スイッチ５０は、商用電源９０から一次電源ユニット３０に給電される電力のオン・オフを行うためのものであり、装置本体１１の後部上面であって前記一次電源ユニット３０の略直上位置に設けられている。本実施形態においては、原稿読取部装着フレーム１１４の天板１１４ａ上の左端部後方であって、原稿押え１２１と干渉しない位置に設けられている。かかる一次電源スイッチ５０へは、一次電源ユニット３０の電圧安定回路３３から導出された一対の導線の一方（一次電源スイッチ向け引延し線５１）が上方に向かい引き延ばされて接続されている。
【００５７】
かかる両者（一次電源ユニット３０および一次電源スイッチ５０）の位置関係によって、一次電源スイッチ向け引延し線５１の長さ寸法を極力短くすることが可能になり、これによって一次電源スイッチ５０をオン・オフすることにより生じるノイズを小さく抑えることが可能になる。そして、一次電源スイッチ５０をオフ操作することにより、一次電源ユニット３０および二次電源ユニット４０の双方への商用電源９０からの電力供給が遮断される。
【００５８】
前記二次電源スイッチ６０は、二次電源ユニット４０から出力される電力に対してオン・オフ操作するものであり、図１に示すように、パネルボード１７５の右側部後方に設けられている。かかる二次電源スイッチ６０へは、一次電源ユニット３０から一次電源スイッチ５０を介して二次電源ユニット４０へ給電するための一対の導線の一方が二次電源スイッチ向け引延し線６１として引き延ばされて接続されている。
【００５９】
したがって、一次電源スイッチ５０が入れられた（オンにされた）状態で二次電源スイッチ６０を切ると（オフ操作すると）、二次電源ユニット４０への電力供給のみが遮断されることになる。
【００６０】
そして、本実施形態においては、天板フレーム１１３の前方左側部の直下位置に安全スイッチ５２が設けられている。この安全スイッチ５２は、メンテナンス作業のために装置本体１１の用紙トレイ１５１直上に設けられた前面カバー１１６を開放した状態（図１に二点鎖線で表示）でスイッチオフになるように設置位置が設定されている。この安全スイッチ５２へは、ヒータ向け引延し線５３が迂回されることによって形成された迂回線５３１が接続されている。
【００６１】
このような安全スイッチ５２を設けることにより、メンテナンス作業のために前面カバー１１６を開放すると、安全スイッチ５２がオフになってヒータ１４３への電力供給が遮断されるため、所定の時間が経過した後オペレータが装置本体１１内に手を差し入れても火傷を負うような不都合が防止される。
【００６２】
図５は、安全スイッチ５２の設置構造の他の実施形態を示す側面視の説明図であり、（イ）は、前面カバー１１６が閉止された状態、（ロ）は、前面カバー１１６が開放された状態をそれぞれ示している。なお、図５におけるＹによる方向表示は、図１の場合と同様である。
【００６３】
この実施形態においては、安全スイッチ５２は、装置本体１１内の後方位置で、かつ、一次電源スイッチ５０（図３）の略直下の当該一次電源スイッチ５０と近接した位置に設けられている。かかる安全スイッチ５２は、その押圧操作片５２１が、スイッチ本体５２２からコイルスプリング等の付勢手段により外部に突出した状態でオフになり（図５の（ロ））、付勢手段の付勢力に抗して押圧操作片５２１がスイッチ本体５２２内に後退することによりオンになる（図５の（イ））ように構成され、押圧操作片５２１が前面カバー１１６の上部と対向するように設置位置が設定されている。
【００６４】
一方、安全スイッチ５２の押圧操作片５２１と、前面カバー１１６の上部との間には、押圧操作片５２１を遠隔操作するための操作ロッド５４が介設されている。この操作ロッド５４は、前面カバー１１６が閉止された状態で当該前面カバー１１６に押圧されることにより、押圧操作片５２１がスイッチ本体５２２内に後退するように長さ寸法が設定されている。かかる操作ロッド５４は、例えば操作ロッド５４に外嵌されたコイルスプリング５５によって前方に付勢されている。
【００６５】
かかる安全スイッチ５２の設置構造によれば、前面カバー１１６が閉止されることにより、図５の（イ）に示すように、操作ロッド５４がコイルスプリング５５の付勢力に抗して後方に向けて押圧され、これによって押圧操作片５２１が操作ロッド５４の後端に押圧されたスイッチ本体５２２内に没入するため、安全スイッチ５２がオンになる。したがって、一次電源スイッチ５０がオン操作にされることによってヒータ１４３に電力が供給されることになる。
【００６６】
これに対し、前面カバー１１６が開放されると、操作ロッド５４は、前面カバー１１６による押圧が解除されるため、コイルスプリング５５の付勢力によって、図５の（ロ）に示すように、コイルスプリング５５の付勢力によって前方へ向けて移動し、これによって押圧操作片５２１がスイッチ本体５２２から突出して安全スイッチ５２がオフになる。したがって、たとえ一次電源スイッチ５０がオン状態でヒータ１４３に電力が供給されていても、前面カバー１１６を開放することによって安全スイッチ５２がオフになり、ヒータ１４３への電力供給が遮断されるため、安全対策上好都合である。
【００６７】
以上詳述したように、本発明にかかる画像形成装置１０は、装置本体１１内に設けられた画像形成処理用の各種機器に商用電源から電源ユニットを介して給電された電力が供給されることにより所定の画像形成処理を行うように構成されたものを前提とし、電源ユニットとして、商用電源９０から給電された電力からノイズを除去する一次電源ユニット３０と、この一次電源ユニット３０からの電力を低電圧に変圧する二次電源ユニット４０とが備えられ、商用電源９０から一次電源ユニット３０に給電される電力に対してオン・オフを行う一次電源スイッチ５０と、一次電源ユニット３０から二次電源ユニット４０に給電される電力に対してオン・オフを行う二次電源スイッチ６０とが設けられ、一次電源スイッチ５０は、装置本体１１の後部上面であって一次電源ユニット３０の直上位置に設けられている一方、二次電源スイッチ６０は、装置本体１１の前部上面に設けられてなるものである。
【００６８】
このように一次電源スイッチ５０を装置本体１１の後部上面における一次電源ユニット３０の直上位置に設けることにより、一次電源ユニット３０と一次電源スイッチ５０との間の距離を可能な限り短く設定し得るため、一次電源ユニット３０から一次電源スイッチ５０へ到る配線の這い回しが容易になるとともに、一次電源スイッチ５０と装置本体１１内の各種の機器との間に充分な距離を確保することが可能になり、一次電源スイッチ５０のスイッチ操作で生じるノイズの影響が各種の機器に及び難くなり、これによってノイズに起因した各種機器の誤動作をなくすことができる。
【００６９】
また、一次電源スイッチ５０が装置本体１１の上面に設けられているため、装置本体１１の側部に設けられている場合に比較し、後処理装置等の付帯機器の増設で一次電源スイッチ５０が操作し得なくなるような不都合は生じることがなく、画像形成装置１０に対するパンチング処理やステイプラ−処理を施すための後処理装置などの付帯機器配置の自由度を向上させることができる。
【００７０】
しかも、一次電源スイッチ５０は、装置本体１１の後部上面に設けられていて視認し易いため、一次電源スイッチ５０の存在位置を見失うような不便を回避することができる一方、オペレータにとっては手を伸ばさなければスイッチ操作を行うことができない等操作性を意識的にある程度犠牲にしているため、一次電源スイッチ５０が手元にある場合に落としてはならない電源を無意識的に落としてしまうような不都合の発生を回避することができる。
【００７１】
また、一次電源ユニット３０を、オペレータが装置本体１１の前面に対面した状態におけるオペレータ側から見て当該装置本体１１内の左側奥部に設けたため、この一次電源ユニット３０の直上位置に設けられる一次電源スイッチ５０は、必然的に装置本体１１の上面の左方後部位置（上記の実施形態では原稿読取部装着フレーム１１４の天板１１４ａ上の左側部後方で原稿押え１２１と干渉しない位置）に設けられることになり、これによって通常右利きであるオペレータが装置本体１１の前面に位置した状態で一次電源スイッチ５０を操作するに当っては、利き腕でない左腕を延ばしてスイッチ操作を行わなければならず、この通常ではないスイッチ操作は、無意識で行われるというものではなく、したがって、無意識に一次電源スイッチ５０を切ってしまうような不都合の発生がより効果的に防止される。
【００７２】
また、二次電源スイッチ６０は、装置本体１１の前部上面におけるパネルボード１７５に設けられているため、従来のパネルボード１７５から離間した位置に二次電源スイッチ６０が設けられていた場合に比較し、二次電源スイッチ６０の設置位置を探すような無駄な時間の消費がなくなるばかりか、腕を大きく動かすことなくスイッチ操作を行うことができ、スイッチ操作の操作性を向上させることができる。
【００７３】
また、装置本体１１内に設けられた駆動系７０および制御系８０には二次電源ユニット４０で低電圧に変圧された電力が供給されるようになっているのに対し、定着部１４のヒータ１４３には一次電源ユニット３０を介して商用電源９０の電力がそのままの電圧で供給されるようにしているため、一次電源スイッチ５０を入れることによるヒータ１４３の迅速な昇温で定着部１４を速やかに定着処理し得る状態にすることができる。
【００７４】
本発明は、上記の実施形態に限定されるものではなく、以下の内容をも包含するものである。
【００７５】
（１）上記の実施形態において、画像形成装置１０をファクシミリ装置として使用するとき（すなわちコピーキー１７９ａが押下されたとき）は、たとえ二次電源スイッチ６０をオフ操作しても、制御系８０への電力供給および伝送されてくる画像情報を受信するための受信装置への電力供給を継続させるのが好ましい。こうすることによって、就業後に二次電源スイッチ６０を切っても夜間にファクシミリ情報を受信することができなくなるような不都合の発生を防止することができる。
【００７６】
（２）上記の実施形態において、装置本体１１内の適所に用紙の湿気除去用のヒータを設け、この湿気除去用ヒータに対して一次電源ユニット３０からの電力を供給するようにしてもよい。こうすることで装置本体１１内の用紙を常に乾燥状態にすることができるため、用紙が湿っていることによる搬送不良や転写不良等の不都合の発生を有効に防止することができる。
【００７７】
（３）上記の実施形態において、一次電源スイッチ５０のオン状態が継続された状態で二次電源スイッチ６０がオフ操作されたときには、たとえ一次電源スイッチ５０がオン状態であっても、ヒータ１４３へ供給される電力を低下させて、保留電力のみを供給するように構成するとともに、二次電源スイッチ６０がオン操作されたときに電力を元に戻すようにしておけば、二次電源スイッチ６０がオフされた状態で商用電源９０からの電力をそのままヒータ１４３に供給する場合に比較して電力の消費量を節減することができる。また、こうすることで二次電源スイッチ６０がオン操作されたとき、ヒータ１４３はすでに保留電力で常に予熱された状態になっているため、待ち時間が非常に短い状態で直ちに画像形成装置１０を使用することが可能になり、その分作業効率を向上させることができる。
【００７８】
（４）上記の実施形態においては、画像形成装置１０として複写機、ファクシミリ装置およびプリンタの機能を備えた複合機が採用されているが、本発明は、画像形成装置１０が複合機であることに限定されるものではなく、それぞれの機能を単独で装置化した単能機であってもよい。
【図面の簡単な説明】
【００７９】
【図１】本発明に係る画像形成装置の一実施形態を示す外観斜視図でありる。
【図２】画像形成装置の内部構造の概要を説明するための正面断面視の説明図である。
【図３】装置本体内に設けられた給電系統の一実施形態を説明するための斜視図である。
【図４】給電系統の概略回路図である。
【図５】安全スイッチの設置構造の他の実施形態を示す側面視の説明図であり、（イ）は、前面カバーが閉止された状態、（ロ）は、前面カバーが開放された状態をそれぞれ示している。
【符号の説明】
【００８０】
１０  画像形成装置            １１  装置本体
１１１  排紙トレイ            １１２  排紙搬送路
１１３  返送搬送路            １１４  反転搬送路
１１５  外装板                １１６  前面カバー
１２  原稿読取部              １２１  原稿押え
１２２  原稿トレイ            １２２ａ  載置原稿用コンタクトガラス
１２２ｂ  自動給紙用コンタクトガラス
１２３  原稿排紙トレイ        １２４  原稿送り部
１２５  光学系ユニット        １３  画像形成部
１３Ｙ  イエロー用ユニット    １３Ｍ  マゼンタ用ユニット
１３Ｃ  シアン用ユニット      １３Ｋ  ブラック用ユニット
１３１  感光体ドラム          １３２  現像装置
１３３  帯電部                １３４  露光部
１３５  クリーニング装置      １３６  搬送ベルト
１３７  駆動ローラ            １３８  従動ローラ
１４  定着部                  １４１  ヒートローラ
１４２  加圧ローラ            １４３  ヒータ
１５  用紙貯留部              １５１  用紙トレイ
１５２  ピックアップローラ    １５３  給紙搬送路
１６  用紙反転部              １６１  中間トレイ
１６２  切換ガイド            １６３  反転ローラ対
２０  給電系統                ３０  一次電源ユニット
３１  第１基板                ３２  フィルタ回路
３３  電圧安定回路            ４０  二次電源ユニット
４１  第２基板                ４２  第１変圧回路
４３  第２変圧回路            ５０  一次電源スイッチ
５１  一次電源スイッチ向け引延し線
５２  安全スイッチ            ５２１  押圧操作片
５３  ヒータ向け引延し線      ５３１  迂回線
５４  操作ロッド              ５５  コイルスプリング
６０  二次電源スイッチ        ６１  二次電源スイッチ向け引延し線
７０  駆動系                  ８０  制御系
【図１】
2005292695.tif 000003
【図２】
2005292695.tif 000004
【図３】
2005292695.tif 000005
【図４】
2005292695.tif 000006
【図５】
2005292695.tif 000007